(57)【要約】      （修正有）【課題】中間支柱や戸袋支柱等に過大な荷重が掛からないようにして、吊戸と戸袋とを透光板により形成できるようにした間仕切り用吊戸装置を提供する。【解決手段】床１上に立設した左右１対の戸当り支柱３と戸袋支柱４との上部間に横材５を架設し、この横材５に固着したレール６に、吊戸９を左右方向に移動自在に吊支した間仕切り用吊戸装置１０において、戸当り支柱３と戸袋支柱４との間の中間部において、前後１対の中間支柱２９を、吊戸９が通過しうる間隔をおいて床１上に立設し、各中間支柱２９と戸袋支柱４とに、上下方向の中間部に横杆３５が架設され、かつ下端が接床された前後１対の戸袋枠３０を固定し、各戸袋枠３０における横杆３５によって区画された各空間３７内に、透光板４０を嵌合して保持させ、さらに吊戸９をも透光板２１により形成する。【選択図】図２
2006132235.tif 000002
【特許請求の範囲】
【請求項１】
床上に立設した左右１対の戸当り支柱と戸袋支柱との上部間に横材を架設し、該横材に固着したレールに、吊戸を左右方向に移動自在に吊支した間仕切り用吊戸装置において、
戸当り支柱と戸袋支柱との間の中間部において、前後１対の中間支柱を、前記吊戸が通過しうる間隔をおいて床上に立設し、各中間支柱と戸袋支柱とに、上下方向の中間部に横杆が架設され、かつ下端が接床された互いに平行をなす前後１対の戸袋枠を固定し、各戸袋枠における横杆によって区画された各空間内に、透光板を嵌合して保持させ、さらに前記吊戸をも透光板により形成したことを特徴とする間仕切り用吊戸装置。
【請求項２】
各戸袋枠の上下方向の中間部に１または複数の横杆を架設し、この横杆によって区画された戸袋枠内の複数の空間に、透光板と非透光板とを選択的に嵌合して保持させたことを特徴とする請求項１記載の間仕切り用吊戸装置。
【請求項３】
横杆に、下方の透光板を押止する押止手段を設けたことを特徴とする請求項１または２記載の間仕切り用吊戸装置。
【請求項４】
各中間支柱と戸当り支柱および戸袋支柱との上部間に、両支柱の上端部からレールより若干下方の位置に至る互いに平行をなす前後１対の欄間枠を架設し、各欄間枠に透光板を嵌合して保持させたことを特徴とする請求項１〜３のいずれかに記載の間仕切り用吊戸装置。
【請求項５】
横材およびレールの少なくとも前後面をカバーにより覆ったことを特徴とする請求項１〜４のいずれかに記載の間仕切り用吊戸装置。
【請求項６】
カバーを、横材およびレールの前後に配設される透光板と一体的に設けたことを特徴とする請求項５記載の間仕切り用吊戸装置。
【発明の詳細な説明】
【技術分野】
【０００１】
本発明は、フロアを廊下や複数の部屋に分割する間仕切りの出入口として用いる間仕切り用吊戸装置に関する。
【背景技術】
【０００２】
従来のこの種の吊戸装置としては、左右に所要間隔を設けて床上に立設した戸当り支柱と戸袋支柱との上部間に横材を架設し、該横材の下面に固着したレールに、吊戸を移動自在に吊支した間仕切り用吊戸装置において、横材の中間部に、床上に立設した中間支柱の上端部を固着し、該中間支柱と戸袋支柱とに、複数の係止手段を上下多段状に設け、各係止手段に複数の戸袋パネルを上下多段状に係止させたものが公知となっている(特許文献１参照)。
【特許文献１】実用新案登録第２５１５５５１号公報
【発明の開示】
【発明が解決しようとする課題】
【０００３】
しかし、従来のこの種の吊戸装置においては、吊戸をガラスパネルで形成することはあっても、戸袋パネルまで透明なガラスパネル等で形成したものはなかった。
その理由としては、戸袋パネルを透明とすると、戸袋内の構造物が外部に露呈して、見苦しいだけでなく、戸袋パネルをガラスパネルで形成すると、戸袋パネルの重量が大となり、たとえ戸袋パネルを上述のように上下多段状に形成したとしても、それらの複数の戸袋パネルの全重量が中間支柱や戸袋支柱に係り、それらの支柱を相当頑丈な構造としなければならいこと等が考えられる。
また、各戸袋パネルをガラスパネルにより形成して、それに上述の係止手段を取付けるには、ガラスパネルの両側部に頑丈なサッシュを設けなければならず、そのようにすると、サッシュが目立って、美観を損なうこととなる。
【０００４】
それに対して、近年、間仕切りの両面を透明または半透明のガラスパネル等の透光板により形成し、間仕切りによって仕切られた空間を相互から見通せるようにすることが行われている。それに伴って、その間仕切りに設けられる吊戸や戸袋も透光板により形成することが望まれているが、そのためには、上記のような問題を解決しなければならない。
【０００５】
本発明は、従来の技術が有する上記のような問題点に鑑み、中間支柱や戸袋支柱等に過大な荷重が掛かることがないようにして、吊戸と戸袋とを透光板により形成できるようにした間仕切り用吊戸装置を提供することを目的としている。
【課題を解決するための手段】
【０００６】
本発明によると、上記課題は次のようにして解決される。
(１)  床上に立設した左右１対の戸当り支柱と戸袋支柱との上部間に横材を架設し、該横材に固着したレールに、吊戸を左右方向に移動自在に吊支した間仕切り用吊戸装置において、戸当り支柱と戸袋支柱との間の中間部において、前後１対の中間支柱を、前記吊戸が通過しうる間隔をおいて床上に立設し、各中間支柱と戸袋支柱とに、上下方向の中間部に横杆が架設され、かつ下端が接床された互いに平行をなす前後１対の戸袋枠を固定し、各戸袋枠における横杆によって区画された各空間内に、透光板を嵌合して保持させ、さらに前記吊戸をも透光板により形成する。
【０００７】
(２)  上記(１)項において、各戸袋枠の上下方向の中間部に１または複数の横杆を架設し、この横杆によって区画された戸袋枠内の複数の空間に、透光板と非透光板とを選択的に嵌合して保持する。
【０００８】
(３)  上記(１)または(２)項において、横杆に、下方の透光板を押止する押止手段を設ける。
【０００９】
(４)  上記(１)〜(３)項のいずれかにおいて、各中間支柱と戸当り支柱および戸袋支柱との上部間に、両支柱の上端部からレールより若干下方の位置に至る互いに平行をなす前後１対の欄間枠を架設し、各欄間枠に透光板を嵌合して保持させる。
【００１０】
(５)  上記(１)〜(４)項のいずれかにおいて、横材およびレールの少なくとも前後面をカバーにより覆う。
【００１１】
(６)  上記(５)項において、カバーを、横材およびレールの前後に配設される透光板と一体的に設ける。
【発明の効果】
【００１２】
本発明によると、次のような効果を奏することができる。
(１)  請求項１記載の発明によると、各中間支柱と戸袋支柱とに、下端を接床させた戸袋枠を固定し、各戸袋枠における横杆によって区画された各空間内に、透光板を嵌合して保持させたので、透光板の荷重を透光板自体と戸袋枠とにより支えることができ、中間支柱と戸袋支柱とに透光板の荷重が掛からないようにすることができる。また、それによって戸袋を透光板により形成することが可能となる。
吊戸と戸袋とをともに透光板により形成したことによって、吊戸が閉じているときでも、また開いているときでも、開口部だけでなく、戸袋部分においても、区画された部屋の内外から互いに全体を見通したり、様子をうかがうことができ、また、他の間仕切り部分を透光性とすることと組み合わせると、開放的で美麗な間仕切り空間を形成することができる。
【００１３】
(２)  請求項２記載の発明によると、横杆によって区画された戸袋枠内の複数の空間に、透光板と非透光板とを選択的に嵌合して保持することにより、戸袋部分を、局部的に透光性としたり非透光性としたりすることができ、デザイン上の自由度が増すだけでなく、外部から見られたくない部分は、非透光性として、プライバシーを確保することもできる。
【００１４】
(３)  請求項３記載の発明によると、横杆に下方の透光板を押止する押止手段を設けたことにより、透光板等が戸袋枠から脱落したり、がたついたりするのを確実に防止することができるとともに、横杆に掛かる上方の透光板等の荷重を、押止手段を介して直接下方の透光板等に伝達させることができるので、横杆や戸袋枠における両側部の縦枠杆に掛かる負担を軽減することができる。したがって、戸袋枠の強度をそれほど大とする必要がなく、材料の削減、およびコストの低減を図ることができる。
【００１５】
(４)  請求項４記載の発明によると、欄間部分も戸袋部分と同様の簡単な構成をもって、透光板で覆うことができ、戸袋部分や他の間仕切部分とのデザインの統一を図ることができる。
また、欄間部分の透光板等の荷重は、中間支柱と戸当り支柱および戸袋支柱とにより受けられ、横材に掛かることはないので、横材に掛かる負担を軽減することができる。したがって、横材の強度をそれほど大とする必要がなく、材料の削減、およびコストの低減を図ることができる。
【００１６】
(５)  請求項５記載の発明によると、横材およびレールの少なくとも前後面がカバーにより覆われるので、横材やレール、および吊戸の吊支部分、ならびにそれらの付属部品等が外部に露呈することがなく、体裁がよい。
【００１７】
(６)  請求項６記載の発明によると、カバーを透光板と一体的に設けたので、欄間枠等への透光板の着脱により、同時に着脱されるので、組み付け作業性がよく、またメンテナンスも容易になる。
【発明を実施するための最良の形態】
【００１８】
本発明の一実施形態を、添付図面を参照して説明する。
図１は、本発明の一実施形態を備える間仕切装置の正面図、図２は、同じく吊戸の吊支機構を示す拡大正面図、図３〜図９は、図１の各部の拡大断面図である。
【００１９】
図１および図２に示すように、この間仕切装置は、床(１)と天井(２)との間に垂直に立設した左右１対の戸当り支柱(３)と戸袋支柱(４)との上部間に横材(５)を架設し、この横材(５)の前面に固着した左右方向を向く固定レール(レール)(６)に、可動レール(７)を長手方向に摺動自在に装着し、可動レール(７)の左右の端部から垂下する１対の吊支板(８)(８)をもって吊戸(９)を吊支してなる吊戸装置(10)を備えている。
【００２０】
この例では、固定レール(６)と可動レール(７)は、図３に示すように、側面視前向きコ字状とした固定レール(６)の内側に、側面視後向コ字状とした可動レール(７)を嵌合し、両レール(６)(７)の上下の水平片(6a)(7a)間に多数の鋼球(11)(11)を介在させるようにした公知のサスペンションレール型のものとしてある。
【００２１】
可動レール(７)の前面適所には、上方を向くブラケット(12)が固着され、吊戸(９)を全開位置まで開いたとき、このブラケット(12)の上部後端が、横材(５)の前面に固着したストッパ(13)に当接することにより、停止させられるようになっている。
【００２２】
図３〜図６に示すように、吊戸(９)は、左右１対の縦枠杆(14)(15)と、その上端部同士、および下端部同士を連結する上下１対の横枠杆(16)(17)とからなる枠体(18)と、各枠杆(14)〜(17)の内面中央に設けた凹溝(19)内に、ガスケット(20)を介して、左右および上下の端部が嵌合されて枠体(18)に保持された、透明または半透明のガラス板等の透光板(21)とからなっている。
【００２３】
図５に示すように、戸当り側の縦枠杆(14)の右縁部には、前後方向に突出する板状の取手(22)が、上下方向の全長に亘って設けられている。また、図５および図９に示すように、戸当り側の縦枠杆(14)の左側面中位部には、後述する施錠装置(60)における錠本体(55)の係止片(59)が係脱しうる係合孔(23)が設けられた受金具(24)が固着されている。
【００２４】
図３に示すように、上部の横枠杆(16)は、左右の吊支板(８)(８)の下端部に、ボルト(25)をもって固着されている。
また、図４および図６に示すように、下部の横枠杆(17)の下端面には、枠体(18)の右端に開口する凹溝(26)が設けられており、この凹溝(26)に、後述する戸袋の開口近くの床(１)面に垂直軸(27)をもって枢着されたガイドローラ(28)が嵌合することにより、吊戸(９)が前後方向に揺動することなく、戸袋内に円滑に進退しうるようになっている。
なお、この例では、ガイドローラ(28)を１個としてあるが、これを複数個として、そのいずれかを凹溝(26)の前方の内側面に当接させ、また他のものを、同じく後方の内側面に当接させるようにしてもよい。
【００２５】
戸当り支柱(３)と戸袋支柱(４)との間の中間部には、前後１対の中間支柱(29)(29)が、吊戸(９)が通過しうる間隔をおいて床(１)上に立設されている。
各中間支柱(29)と戸袋支柱(４)とには、下端が接床された正面視方形をなす戸袋枠(30)が固着されている。
【００２６】
戸袋枠(30)は、左右１対の縦枠杆(31)(32)と、その上端部同士、および下端部同士を連結する上下１対の横枠杆(33)(34)と、上下の横枠杆(33)(34)間においてそれらと平行にかつ上下方向に適宜の間隔をもって左右の縦枠杆(31)(32)間に架設した複数の(この例では３本の)横杆(35)とからなり、左右の縦枠杆(31)(32)の適所が、中間支柱(29)と戸袋支柱(４)との内面にねじ(36)をもって止着されている(図６および図７参照)。
【００２７】
各戸袋枠(30)における横杆(35)によって区画された各空間(37)内には、パネル(38)が嵌合して保持されるようになっている。パネル(38)は、後方に向かって四角錐状に収束するような形状とした正面視方形のパネル枠(39)と、その前面開口部に嵌合して保持された透光板(40)とからなっている。
透光板(40)は、吊戸(９)における透光板(21)と同様の透明もしくは半透明のガラス板またはアクリル板等により形成するのがよい。
【００２８】
この例では、すべてのパネル(38)を、パネル枠(39)と透光板(40)とからなるものとしてあるが、一部または全部のパネル(38)を、パネル枠(39)の前面開口部に、鋼板、木製板またはそれらの表面を布等の表面材により覆った非透光板(図示略)を嵌合して保持したものとしてもよい。
すなわち、使用状況に応じて、各空間(37)内に、透光板(40)を備えるパネル(38)と、非透光板を備えるパネル(38)とを選択して嵌合し、例えば透光板(40)を備えるパネル(38)と、非透光板を備えるパネル(38)とを交互に配設したり、すべてのパネル(38)を非透光板を備えるものとしたりすることにより、デザインを多様化することができる。
【００２９】
戸袋枠(30)の各空間(37)への各パネル(38)の嵌合構造は、どのようなものでもよいが、本出願人の先願に係る特願２００３−１９８０２０号の願書に添付した明細書および図面に開示されているものと同様に、図６および図７に示すように、パネル枠(39)にねじ(41)止めした板ばね(42)を、戸袋枠(30)における縦枠杆(31)(32)の内面に設けた上下方向を向く凹溝(43)に弾性係合させることにより、各パネル(38)を戸袋枠(30)の各空間(37)内に保持させるようにするのがよい。
【００３０】
図８に示すように、横杆(35)の長手方向の複数箇所には、押止手段であるすり割り付止めねじ(44)が上下方向に貫通するように螺合しており、このすり割り付止めねじ(44)の下端で、各横杆(35)の下方に位置するパネル(38)のパネル枠(39)を下方に押し付けることにより、パネル(38)が戸袋枠(30)の各空間(37)から脱落したり、がたついたりするのを確実に防止することができるとともに、横杆(35)に掛かる上方のパネル(38)等の荷重を、このすり割り付止めねじ(44)を介して直接下方のパネル(38)等に伝達させることができるので、横杆(35)や戸袋枠(30)における両側部の縦枠杆(31)(32)に掛かる負担を軽減することができる。
【００３１】
図３に示すように、各中間支柱(29)と戸当り支柱(３)との上部間には、両支柱(29)(３)の上端部から固定レール(６)より若干下方の位置に至る互いに平行をなす前後１対の欄間枠(45)(45)が架設されている。各欄間枠(45)は、左右１対の縦枠杆(図示略)と、その上端部同士、および下端部同士を連結する上下１対の横枠杆(48)(49)とからなっている。
【００３２】
なお、上部の横枠杆(48)は、前後の欄間枠(45)(45)に共通する幅広の一体の枠杆により形成されている。
図３に示すように、この共通の上部の横枠杆(48)の中央に設けた長手方向を向く凹溝(48a)には、天井(２)にねじ(50)止めした側面視下向きコ字状をなす天井レール(51)の下部が嵌合されている。
また、前後の戸袋枠(30)(30)における上部の横枠杆(33)も、横枠杆(48)と同様に、前後の戸袋枠(30)(30)に共通する幅広の一体の枠杆により形成し、その中央に設けた長手方向を向く凹溝(図示略)に、天井レール(51)の下部を嵌合するのがよい。
【００３３】
欄間枠(45)には、パネル(38)におけるのと同様のパネル枠(39)と透光板(40)とからなる前後１対のパネル(52)(52)が、パネル(38)と同様にして嵌合され、かつ保持されている。
なお、戸袋枠(30)における最上段の横杆(35)より上方の部分は、実質的に欄間枠(45)と同様の欄間枠をなし、そこに嵌合保持されているパネル(38)は、実質的に欄間パネルをなしている。
【００３４】
各パネル(52)における透光板(40)は、パネル(38)におけるのと同様に、非透光板と置き換えて実施することもできる。
パネル(52)および最上段のパネル(38)を、透光板(40)を備えるものとしたときは、図２および図３に示すように、横材(５)、固定レール(６)、可動レール(７)、吊支板(８)、ブラケット(12)等の少なくとも前後面を、前後１対の横長垂直板状の非透光性のカバー(53)(53)により覆うのがよい。
【００３５】
図３に示すように、この例では、カバー(53)(53)は、互いに対向する倒立Ｌ字状とし、それらの下端と両側端とを、欄間枠(45)に装着される前後１対のパネル(52)(52)における各パネル枠(39)の下方の横杆(39a)と左右の縦杆(39b)(その一方のみを図示)に固着しておき、欄間枠(45)に各パネル(52)を装着したとき、各カバー(53)も透光板(40)とともに、欄間枠(45)に装着され、横材(５)等の前後面と上面とを覆うようにするのがよい。
パネル枠(39)の左右の縦杆(39b)の下部には、横材(５)等が挿通する方形の切り欠き(47)を設け、この切り欠き(47)の縁に、各カバー(53)の側端部を固着しておくのがよい。
なお、各カバー(53)を、欄間枠(45)の下部の横枠杆(49)または最上段の横杆(35)の上端に載置し、かつ両側端を、戸当り支柱(３)と中間支柱(29)、または中間支柱(29)と戸袋支柱(４)に保持させたり、前後１対のカバー(53)(53)に代えて、側面視下向きコ字状のカバー(図示略)を、横材(５)等の上方より被嵌したりして実施してもよい。
【００３６】
図１、図２、図５、および図９に示すように、欄間枠(45)より下方の戸当り支柱(３)の右側面には、中空角管状の補助支柱(54)が固着されており、この補助支柱(54)の中位部には、錠本体(55)と電気配線(Ｌ)とが設けられている。
【００３７】
錠本体(55)は、補助支柱(54)内に収容された本体ケース(56)と、本体ケース(56)より補助支柱(54)の前面を貫通して前方に突出するシリンダ錠(57)と、それとほぼ前後対称に補助支柱(54)の後面を貫通して後方に突出する操作レバー(58)と、本体ケース(56)内に設けた内部機構(図示略)と、上述の受金具(24)の係合孔(23)に係脱しうる鎌形の係止片(59)とを備えている。
係止片(59)は、常時は図９に破線で略示するように、本体ケース(56)内に収容された解錠位置に位置しているが、シリンダ錠(57)の前端面に設けたキー挿入口(57a)にキー(図示略)を挿入して一方向または他方向に回転させるか、または操作レバー(58)を上記キーの回転方向と同一の一方向または他方向に回転させることにより、上記解錠位置から、本体ケース(56)の右側面に設けられた縦長の窓孔(図示略)および受金具(24)の係合孔(23)を通って、図９に想像線で示すように、受金具(24)における係合孔(23)の上縁に係合する施錠位置に回動させられたり、またはその逆方向に回動させられたりしうるようになっている。
この錠本体(55)と受金具(24)とにより、引戸鎌錠とした施錠装置(60)が形成されている。
【００３８】
補助支柱(54)を設けない場合は、錠本体(55)は、戸当り支柱(３)の右側面に凹所(図示略)を設け、そこに錠本体(55)を収容するのがよい。
【００３９】
図１、図５、および図７に示すように、戸当り支柱(３)の左方、および戸袋支柱(４)の右方には、上述のパネル(38)と同様のものが、間仕切りパネルとして、上記と同様にして装着されている。
【００４０】
この間仕切装置においては、錠本体(55)を、係止片(59)が解錠位置に位置する解錠状態としておくことにより、取手(22)をもって、吊戸(９)を、図１、図５、および図６に実線で示す全閉位置から、図６に想像線で示す全開位置まで自由に開閉することができ、吊戸(９)が閉じているときでも、また開いているときでも、吊戸(９)によって開かれる開口部だけでなく、戸袋部分においても、この間仕切装置により区画された部屋の内外から互いに全体を見通したり、様子をうかがうことができ、また、他の間仕切り部分を透光性とすることと組み合わせると、開放的で美麗な間仕切り空間を形成することができる。
【００４１】
因みに、戸当り支柱(３)の左方、および戸袋支柱(４)の右方には、前後の戸袋枠(30)(30)を前後方向に連結したのと同様の間仕切り枠(61)が連結され、各間仕切り枠(61)に、上記パネル(38)と同様の複数の間仕切りパネル(62)が、パネル(38)とほぼ同様にして装着されている。この例では、すべての間仕切りパネル(62)を透光板により形成してあるが、デザイン上の要望に応じて、非透光板により形成することもできる。
【００４２】
吊戸(９)を全閉位置まで閉じて、上述したように、キーか操作レバー(58)を用いて錠本体(55)を施錠操作すると、鎌形の係止片(59)が受金具(24)の係合孔(23)の下縁に係合して、吊戸(９)は開かなくなる。
【００４３】
この錠本体(55)を戸当り支柱(３)側に設け、受金具(24)を吊戸(９)側に設けたことにより、吊戸(９)における枠体(18)の縦枠杆(14)を細く形成することができる。
【図面の簡単な説明】
【００４４】
【図１】本発明の一実施形態を備える間仕切装置の正面図である。
【図２】同じく、一部を破断して、吊戸装置を示す正面図である。
【図３】図１のIII−III線に沿う拡大縦断側面図である。
【図４】図１のIV−IV線に沿う拡大縦断側面図である。
【図５】図１のV−V線に沿う拡大横断平面図である。
【図６】図１のVI−VI線に沿う拡大横断平面図である。
【図７】図１のVII−VII線に沿う拡大横断平面図である。
【図８】図１のVIII−VIII線に沿う拡大縦断側面図である。
【図９】図５のIX−IX線に沿う縦断正面図である。
【符号の説明】
【００４５】
(１)床
(２)天井
(３)戸当り支柱
(４)戸袋支柱
(５)横材
(６)固定レール(レール)
(6a)水平片
(７)可動レール
(7a)水平片
(８)吊支板
(９)吊戸
(10)吊戸装置
(11)鋼球
(12)ブラケット
(13)ストッパ
(14)(15)縦枠杆
(16)(17)横枠杆
(18)枠体
(19)凹溝
(20)ガスケット
(21)透光板
(22)取手
(23)係合孔
(24)受金具
(25)ボルト
(26)凹溝
(27)垂直軸
(28)ガイドローラ
(29)中間支柱
(30)戸袋枠
(31)(32)縦枠杆
(33)(34)横枠杆
(35)横杆
(36)ねじ
(37)空間
(38)パネル
(39)パネル枠
(39a)横杆
(39b)縦杆
(40)透光板
(41)ねじ
(42)板ばね
(43)凹溝
(44)すり割り付止めねじ(押止手段)
(45)欄間枠
(47)切り欠き
(48)(49)横枠杆
(48a)凹溝
(50)ねじ
(51)天井レール
(52)パネル
(53)カバー
(54)補助支柱
(55)錠本体
(56)本体ケース
(57)シリンダ錠
(57a)キー挿入口
(58)操作レバー
(59)係止片
(60)施錠装置
(61)間仕切り枠
(62)間仕切りパネル
(Ｌ)電気配線
【図１】
2006132235.tif 000003
【図２】
2006132235.tif 000004
【図３】
2006132235.tif 000005
【図４】
2006132235.tif 000006
【図５】
2006132235.tif 000007
【図６】
2006132235.tif 000008
【図７】
2006132235.tif 000009
【図８】
2006132235.tif 000010
【図９】
2006132235.tif 000011
【手続補正書】
【提出日】平成16年11月9日(2004.11.9)
【手続補正１】
【補正対象書類名】図面
【補正対象項目名】図３
【補正方法】変更
【補正の内容】
【図３】
2006132235.tif 000012